(57)【要約】【課題】  本発明は眼鏡の不使用時に眼鏡の左右のつるを折りたたむことなく収納できるとともに、この収納時や眼鏡の出し入れ時にレンズ部が収納部や手に触れるのを効率よく防止することができる眼鏡置きを得るにある。【解決手段】  テーブル等に置くことができる支持部と、この支持部に固定された眼鏡の幅寸法よりも大きな幅寸法で、眼鏡のレンズ部が非接触状態となる上部が開口した弧状の眼鏡支持部とで眼鏡置きを構成している。【選択図】  図１
2007264209.tif 000002
【特許請求の範囲】
【請求項１】
テーブル等に置くことができる支持部と、この支持部に固定された眼鏡の幅寸法よりも大きな幅寸法で、眼鏡のレンズ部が非接触状態となる上部が開口した弧状の眼鏡支持部とからなることを特徴とする眼鏡置き。
【請求項２】
テーブル等に置くことができるゴムあるいは軟質プラスチック材で形成された支持部と、この支持部と同じ材質で一体形成された眼鏡の幅寸法よりも大きな幅寸法で、眼鏡のレンズ部が非接触状態となる上部が開口した弧状の眼鏡支持部と、この眼鏡支持部の後部側の上部に上部後方へ弧状に突出するように一体形成された表示部とからなることを特徴とする眼鏡置き。
【発明の詳細な説明】
【技術分野】
【０００１】
本発明は眼鏡を不使用時に収納しておくことができる眼鏡置きに関する。
【背景技術】
【０００２】
従来の眼鏡置きは眼鏡ケースや筆立てと同じように上部が開口した円筒状に形成されている。
【０００３】
このため、眼鏡を不使用時に眼鏡ケースや眼鏡置きに収納する場合、左右のつるを折りたたんで収納しなければならないという手間がかかるとともに、眼鏡置きへの出し入れの際にレンズ部に手が触れやすく、レンズ部にキズを付けたり、汚してしまうという欠点があった。
【特許文献１】特になし
【発明の開示】
【発明が解決しようとする課題】
【０００４】
本発明は以上のような従来の欠点に鑑み、眼鏡の不使用時に眼鏡の左右のつるを折りたたむことなく収納できるとともに、この収納時や眼鏡の出し入れ時にレンズ部が収納部や手に触れ、レンズ部にキズを付けたり、汚してしまうのを効率よく防止することができる眼鏡置きを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はテーブル等に置くことができる支持部と、この支持部に固定された眼鏡の幅寸法よりも大きな幅寸法で、眼鏡のレンズ部が非接触状態となる上部が開口した弧状の眼鏡支持部とで眼鏡置きを構成している。
【０００７】
本発明はテーブル等に置くことができるゴムあるいは軟質プラスチック材で形成された支持部と、この支持部と同じ材質で一体形成された眼鏡の幅寸法よりも大きな幅寸法で、眼鏡のレンズ部が非接触状態となる上部が開口した弧状の眼鏡支持部と、この眼鏡支持部の後部側の上部に上部後方へ弧状に突出するように一体形成された表示部とで眼鏡置きを構成している。
【発明の効果】
【０００８】
以上の説明から明らかなように、本発明にあっては次に列挙する効果が得られる。
【０００９】
（１）テーブル等に置くことができる支持部と、この支持部に固定された眼鏡の幅寸法よりも大きな幅寸法で、眼鏡のレンズ部が非接触状態となる上部が開口した弧状の眼鏡支持部とからなるので、不使用時の眼鏡を左右のつるを折りたたむことなく、上部開口より眼鏡支持部に支持させることができる。
したがって、手数がかからず、楽に収納することができる。
【００１０】
（２）前記（１）によって、眼鏡支持部は眼鏡のレンズ部が非接触状態となる弧状に形成されているので、眼鏡のレンズ部が収納によって、キズが付いたり、汚れたりすることがない。
【００１１】
（３）前記（１）によって、眼鏡の眼鏡支持部への出し入れは左右のつるを持って楽に行なうことができ、眼鏡の出し入れ時にレンズ部にキズを付けたり、汚したりするのを確実に防止することができる。
【００１２】
（４）前記（１） によって、上部が開口した弧状の眼鏡支持部に眼鏡を支持させるので、眼鏡は左右のつるの開放状態、折りたたみ状態、前後が逆の状態、表裏が逆の状態等、どんな状態でも眼鏡支持部に支持させることができる。
したがって、使用者の好みの収納状態で使用することができる。
【００１３】
（５）請求項２も前記（１）〜（５）と同様な効果が得られるとともに、ゴムあるいは軟質プラスチックによって滑り止め効果や、眼鏡のフレームやレンズに損傷を与えるのを確実に阻止することができる。また、支持部と眼鏡支持部とを一体形成しているので、製造が容易で、安価に製造することができる。
【発明を実施するための最良の形態】
【００１４】
以下、図面に示す本発明を実施するための最良の形態により、本発明を詳細に説明する。
【００１５】
図１ないし図８に示す本発明を実施するための最良の第１の形態において、１は本発明の眼鏡置きで、この眼鏡置き１はテーブル等に安定状態で置くことができる、ゴムあるいは軟質プラスチック材で長方形枠状で、底面が平坦な支持部２と、この支持部２と同じ材質で一体形成された眼鏡３の幅寸法よりも大きな幅寸法で、眼鏡３のレンズ部４、４が非接触状態となる上部が開口５した弧状の眼鏡支持部６と、この眼鏡支持部６の後部側の上部に、上部後方へ弧状に突出するように一体形成された先端部が円弧７状の眼鏡の転倒防止を図ることができるとともに、文字や模様が彫刻されたり、プリントされたり、シールを貼着させることができる表示部８と、前記眼鏡支持部６の前部側の上端部に形成した弧状の端部９とで構成されている。
【００１６】
上記構成の眼鏡置き１はテーブル等に置き、不使用時の眼鏡３を図５および図６に示すように、左右のつる１０、１０を折りたたまないで眼鏡支持部６に支持させたり、眼鏡支持部６より左右のつる１０、１０が外方に突出して邪魔にならないように図７に実線で示すように左右のつる１０、１０を折りたたんで眼鏡支持部６に支持させたり、仮想線で示すように左右のつる１０、１０を折りたたまないで支持させたり、図８に示すように眼鏡３の向きを逆にして眼鏡支持部６に支持させたり、その他の状態で眼鏡支持部６に眼鏡を支持させることができるがるが、いずれの支持状態でも眼鏡３のレンズフレーム１１が眼鏡支持部６に支持され、レンズ部４、４が眼鏡支持部６に接触することがない。
[発明を実施するための異なる形態]
【００１７】
次に、図９ないし図１６に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図９および図１０に示す本発明を実施するための第２の形態において、前記本発明を実施するための最良の第１の形態と主に異なる点は、前部側と後部側とがほぼ同じ高さ寸法に形成された眼鏡支持部６Ａを用いた点で、このように形成した眼鏡支持部６Ａを用いて構成した眼鏡置き１Ａにしても、前記本発明を実施するための最良の第１の形態と同様な作用効果が得られる。
【００１９】
図１１ないし図１３に示す本発明を実施するための第３の形態において、前記本発明を実施するための最良の第１の形態と主に異なる点は、支持部２Ａおよび眼鏡支持部６Ｂを硬質プラスチック材、木材、金属材等の材質で形成するとともに、眼鏡支持部６Ｂの内壁面に軟質プラスチック材製のシートや不織布、植毛等のクッション材１２を固定した点で、このように構成した眼鏡置き１Ｂにしても、前記本発明を実施するための最良の第１の形態と同様な作用効果が得られる。
【００２０】
図１４ないし図１６に示す本発明を実施するための第４の形態において、前記本発明を実施するための最良の第１の形態と主に異なる点は、眼鏡支持部６の底面に下面が平坦なほぼ二等辺三角形をリボン状に配置した支持部２Ｂを形成するとともに、眼鏡支持部６の両端部に上面が弧状に形成された支持壁１３,１３を形成した点で、このように構成した眼鏡置き１Ｃにしても、前記本発明を実施するための最良の第１の形態と同様な作用効果が得られる。
【００２１】
なお、前記本発明を実施するための各形態では長方形枠状の支持部を用いるものについて説明したが、本発明はこれに限らず、底面を平坦に形成し、複数個の滑り止め用の溝を形成したり、四隅寄りの底面に滑り止め片を固定したものであってもよい。
また、前記本発明を実施するための各形態では支持部と眼鏡支持部とを一体形するものについて説明したが、本発明はこれに限らず、支持部と眼鏡支持部を別体に形成し、支持部と眼鏡支持部を嵌合固定したり、接着固定しても良い。
【産業上の利用可能性】
【００２２】
本発明は眼鏡置きを製造する産業で利用される。
【図面の簡単な説明】
【００２３】
【図１】本発明を実施するための最良の第１の形態の斜視図。
【図２】本発明を実施するための最良の第１の形態の平面図。
【図３】本発明を実施するための最良の第１の形態の側面図。
【図４】本発明を実施するための最良の第１の形態の底面図。
【図５】本発明を実施するための最良の第１の形態の眼鏡の収納状態の平面図。
【図６】図５の６−６線に沿う断面図。
【図７】本発明を実施するための最良の第１の形態の眼鏡の異なる収納状態の説明図。
【図８】本発明を実施するための最良の第１の形態の眼鏡の異なる収納状態の説明図。
【図９】本発明を実施するための第２の形態の斜視図。
【図１０】図９の１０−１０線に沿う断面図。
【図１１】本発明を実施するための第３の形態の斜視図。
【図１２】本発明を実施するための第３の形態の平面図。
【図１３】図１２の１３−１３線に沿う断面図。
【図１４】本発明を実施するための第４の形態の斜視図。
【図１５】本発明を実施するための第４の形態の平面図。
【図１６】図１５の１６−１６線に沿う断面図。
【符号の説明】
【００２４】
１、１Ａ、１Ｂ、１Ｃ：眼鏡置き、
２、    ２、２Ａ、２Ｂ：支持部、
３：眼鏡、                    ４：レンズ部、
５：開口、                    ６、６Ａ、６Ｂ：眼鏡支持部、
７：円弧、                    ８：表示部、
９：弧状の端部、              １０：つる、
１１：レンズフレーム、        １２：クッション材、
１３：支持壁。
【図１】
2007264209.tif 000003
【図２】
2007264209.tif 000004
【図３】
2007264209.tif 000005
【図４】
2007264209.tif 000006
【図５】
2007264209.tif 000007
【図６】
2007264209.tif 000008
【図７】
2007264209.tif 000009
【図８】
2007264209.tif 000010
【図９】
2007264209.tif 000011
【図１０】
2007264209.tif 000012
【図１１】
2007264209.tif 000013
【図１２】
2007264209.tif 000014
【図１３】
2007264209.tif 000015
【図１４】
2007264209.tif 000016
【図１５】
2007264209.tif 000017
【図１６】
2007264209.tif 000018